(57)【特許請求の範囲】
【請求項１】
篩網を張った四角形状の内枠と、該内枠が嵌合する外枠との対からなり、該外枠は、前記内枠の篩網を通過した微粉を受ける底板と、該底板上の微粉を枠外へ排出するため対向状に設けた一対の微粉用開口と、前記篩網上の粗粉を枠外へ排出する粗粉用開口とを設けた篩機の篩網枠において、前記底板は、前記微粉用開口に沿って延びる支持部材の上面から微粉用開口側側面に密着して下方に折り曲げられるとともに、前記微粉用開口に横架した複数個のクリーナー落下防止梁により底板を支持部材に繋止したことを特徴とする篩機の篩網枠。
【発明の詳細な説明】
【０００１】
【産業上の利用分野】
本発明は、小麦粉等の粉粒体を粒度により選別するための篩機の篩網枠に関する。
【０００２】
【従来の技術】
粉粒体、特に小麦粉を粒度により選別するための篩機としては、篩網枠を多数積み重ね、これを天井から吊すか、又は、床から支持棒等で支え、バランスウエイトを備えた偏心軸と駆動軸とからなる駆動手段により水平面で円運動させる方式の、いわゆるプランシフター、スクウエアーシフター又はジュニアシフターが広く用いられている。
【０００３】
上記篩機の篩網枠は、小麦粉を網上分（粗粉）と網下分（微粉）に分離する内枠と、この内枠を嵌合して、内枠からの粉を受けて次段の篩網枠へ供給する外枠とから構成されており、このような構成の篩網枠を図４及び図５を参照して説明する。
【０００４】
図４は従来の篩網枠の内枠を示すものであり、内枠５１は四角形状の枠体を構成する木製の枠辺５３と、その枠体の内側に十字に架設した補強棒体５４との上に、篩網５５を張った構成をなしている。
【０００５】
図５に示す従来の外枠５２は、前記内枠５１を嵌合させる内側壁５６と、この内側壁５６の外側に設けられて微粉用開口５７形成する一対の外側壁５８と、他対の対向辺の外側壁５９と、内枠の篩網を通過した微粉を前記微粉用開口５７に誘導する底板６０とから構成される。そして、該底板６０は、例えばステンレス製であって、前記内側壁５６付近に、底板６０の上面から皿ビス６１で止められている。
【０００６】
しかしながら、上記の篩網枠においては、底板６０を上面から皿ビス６１により止めているため（図６参照）、底板６０の見栄えが悪く、しかも、長期使用していると皿ビス６１の頭部６１ａが浮いた状態となる欠点があった。このため、皿ビス６０付近に微粉が付着したり、また、底板６０上を遊動して微粉を開口５７に落下させるクリーナー自体が、皿ビス６１の頭部６１ａ及び底板６０の端縁と接触して欠損することがあり、この破片が微粉の中に混入する危険性があった。
【０００７】
ところで、特開平６ー３２０１１１号公報の実施例中には、「本例における上記の受板６３は、平行な３本の木製棒体６４の下面にステンレス製の矩形板をビス止めして構成され、…」と記載されている。このような篩網枠においては、受板６３を延設して、木製棒体６４の側面を被覆するように折曲して該木製棒体６４下面でビス止めしているため、篩網枠の製造工程で加工に要する手間が掛かるといった欠点があった。
【０００８】
本発明は上記問題点にかんがみ、簡単な構成で、かつ、底板に微粉が付着することがなく、また、底板と内枠との間に介挿したクリーナーの耐用年数を向上させ、更には、クリーナーの破片が微粉の中に混入する危険のない篩機の篩網枠を提供することを技術的課題とする。
【０００９】
【課題を解決するための手段】
本発明は上記課題を解決するため、篩網を張った四角形状の内枠と、該内枠が嵌合する外枠との対からなり、該外枠は、前記内枠の篩網を通過した微粉を受ける底板と、該底板上の微粉を枠外へ排出するため対向状に設けた一対の微粉用開口と、前記篩網上の粗粉を枠外へ排出する粗粉用開口とを設けた篩機の篩網枠において、前記底板は、前記底板は、前記微粉用開口に沿って延びる支持部材の上面から微粉用開口側側面に密着して下方に折り曲げられるとともに、前記微粉用開口に横架した複数個のクリーナー落下防止梁により底板を支持部材に繋止する、という技術的手段を講じた。
【００１０】
【作用及び効果】
底板は、微粉用開口に沿って延びる支持部材の上面から微粉用開口側側面に密着して下方に折り曲げられるとともに、微粉用開口に横架した複数個のクリーナー落下防止梁により底板を支持部材に繋止しているので、底板の上面には皿ネジが無く、しかも、底板の端縁は滑らかであるので、微粉が底板の皿ネジ付近に付着することがなく、また、クリーナー自体の欠損がなくなり、クリーナーの破片が微粉の中に混入する危険がなくなった。また、クリーナー落下防止梁を設けているので、クリーナーが微粉用開口に移動しても落下することがない。
【００１１】
【実施例】
以下、本発明の好適な実施例を図１を参照しながら説明する。
【００１２】
符号１は、上面に篩網２が張設された内枠で、木製の枠体３ａ，３ｂ，３ｃ，３ｄにより四方を囲まれ、枠体３ａは、篩網２の上側を流れる粗粉が内枠１外に容易に流出するように、下方への緩傾斜が設けられている。内枠１には、補強体４が設けられており、該補強体４の下面には篩網２よりも目の粗い金網５が張設されている。そして、前記篩網２と金網５との間には例えばコットンクリーナー（図示せず）等を介挿させて篩網２の目詰まりを防止するように設けている。
【００１３】
外枠６は、四方を外側壁７により囲まれ、４つの外側壁のうち、対向する１対の外側壁７ａ，７ｃの内方には、各々内側壁８ａ，８ｂが前記外側壁７ａ，７ｃと平行となるように配設されており、外側壁７ａと内側壁８ａとの間で微粉用開口９ａを、外側壁７ｃと内側壁８ｂとの間で微粉用開口９ｂをそれぞれ形成する。
【００１４】
符号１０は、外側壁７に固設され、その上面が内枠１の枠体３下面と係合するとともに、その下面に篩網２からの微粉を受けて微粉用開口９ａ，９ｂへ移動させるための底板１１が固着した支持部材である。そして、支持部材１０ａと外側壁７ｄとの間には、篩網２上を移動する粗粉を外枠６外へ排出するための粗粉用開口１２が形成されている。そして、前記微粉用開口９ａ，９ｂには、クリーナー落下防止梁１３を複数個横架してあるので、底板１１と金網５との間に介挿する例えば樹脂製のクリーナー（図示せず）の微粉用開口９ａ，９ｂへの落下が防止される。
【００１５】
次に、前記底板１１の外枠６への取付方法について図２及び図３を参照して説明する。
【００１６】
図２は、底板１１の取付状態を説明するため、微粉用開口９ａを拡大した斜視図であり、図３は図２のＡーＡ断面図である。図３において、前記内側壁８ａの直下には、前記微粉用開口９ａに沿って支持部材１０ｃが設けられる。そして、前記底板１１は、支持部材１０ｃから外側壁７ａ側に向けて延設するとともに、その延設部１１ａを支持部材１０ｃの上面から微粉用開口９ａ側側面に密着して下方に折り曲げ、複数個のクリーナー落下防止梁１３により底板１１を支持部材１０ｃに繋止する。該複数個のクリーナー落下防止梁１３は、前記支持部材１０ｃと外側壁７ａとの間に横架されており、前記底板１１の一辺に穿設した穴１１ｂに挿嵌する。そして、本実施例では省略してあるが、底板１１の対向した他辺も同様にして取り付けるとよい。
【００１７】
以上のように構成した篩網枠の作用を以下説明する。
【００１８】
底板１１に微粉が付着するのを防止するため、底板１１と内枠１との間にクリーナー（図示せず）を介挿して、内枠１を外枠６に嵌合する。そして、篩網２上に粉粒体を供給すると、篩網２を通過した微粉は底板１１で受けられ、クリーナーが遊動することにより微粉用開口９に落下させ、外枠６外へ排出させる。このとき、底板１１の上面には皿ネジが無く、しかも、底板１１の端縁は滑らかであるので、微粉が底板１１に付着することがなく、また、クリーナー自体の欠損がなくなり、クリーナーの破片が微粉の中に混入する危険がなくなった。
【００１９】
そして、篩網２を通過しない粗粉は篩網２上を移動し、枠体３ａ上を通って粗粉用開口１２から外枠６外へ排出される。
【図面の簡単な説明】
【図１】内枠と外枠とを嵌合させた状態を示す展開図である。
【図２】底板の取付状態を説明するため、微粉用開口部を拡大した斜視図である。
【図３】図２のＡ−Ａ断面図である。
【図４】従来の篩網枠の内枠を示す斜視図である。
【図５】従来の篩網枠の外枠を示す斜視図である。
【図６】図５のＢ−Ｂ断面図である。
【符号の説明】
１  内枠
２  篩網
３  枠体
４  補強体
５  金網
６  外枠
７  外側壁
８  内側壁
９  微粉用開口
１０  支持部材
１１  底板
１２  粗粉用開口
１３  クリーナー落下防止梁
【図１】
0003612825.tif 000002
【図２】
0003612825.tif 000003
【図３】
0003612825.tif 000004
【図４】
0003612825.tif 000005
【図５】
0003612825.tif 000006
【図６】
0003612825.tif 000007